【手続補正書】
【提出日】平成18年3月14日(2006.3.14)
【手続補正１】
【補正対象書類名】明細書
【補正対象項目名】発明の名称
【補正方法】変更
【補正の内容】
【発明の名称】エンボス版並びにエンボス画像成形品及びエンボス版の製造方法
【手続補正２】
【補正対象書類名】明細書
【補正対象項目名】特許請求の範囲
【補正方法】変更
【補正の内容】
【特許請求の範囲】
【請求項１】  基版材の表面に形成された複数平行線状凸部（２）と複数平行線状凹部（３）と、前記複数平行線状凸部（２）のうちの所定の平行線状凸部（２）の第一側に形成された第一画素部（４）と、前記複数平行線状凸部（２）のうちの所定の平行線状凸部（２）の第二側に形成された第二画素部（５）とを備え、前記複数平行線状凸部（２）と前記複数平行線状凹部（３）は所定ピッチで形成され、それぞれの平行線状凸部（２）とそれぞれの平行線状凹部（３）が互いに交互に位置し、前記第一側と前記第二側は互いに前記基版材（１）の反対側に位置し、前記複数平行線状凸部（２）と前記複数平行線状凹部（３）は前記第一側と前記第二側に平行に形成され、前記第一画素部（４）の表面は前記平行線状凸部（２）から前記第一側に向かって傾斜する第一角度傾斜面（４ａ）を有し、前記第二画素部（５）の表面は前記平行線状凸部（２）から前記第二側に向かって傾斜する第二角度傾斜面（５ａ）を有し、前記第一画素部（４）が集まって第一画像（４０）を形成し、前記第二画素部（５）が集まって第二画像（５０）を形成することを特徴とするエンボス版。
【請求項２】  それぞれの平行線状凸部（２）の上面は略平面形状を有し、それぞれの平行線状凹部（３）の底面は略平面形状を有し、前記第一画素部（４）の表面と前記第二画素部（５）の表面のいずれか一つ又は双方は、前記複数平行線状凸部（２）のうちの所定の平行線状凸部（２）の表面から前記平行線状凹部（３）の底面に向かって傾斜表面を形成しながら突出して形成され、前記第一画素部（４）と第二画素部（５）のそれぞれの突出長さは、それぞれの平行線状凹部（３）の幅寸法よりも短いことを特徴とする請求項１記載のエンボス版。
【請求項３】それぞれの平行線状凸部（２）の幅は、それぞれの平行線状凹部（３）の幅よりも短いことを特徴とする請求項１又は２記載のエンボス版。
【請求項４】  前記第一画素部（４）は前記平行線状凹部（３）の底面または前記平行線状凸部（２）の表面に対して垂直な第一垂直面（４ｂ）を有し、前記第一角度傾斜面（４ａ）は前記第一垂直面（４ｂ）に連続して形成され、前記第二画素部（５）は前記平行線状凹部（３）の底面または前記平行線状凸部（２）の表面に対して垂直な第二垂直面（５ｂ）を有し、前記第二角度傾斜面（５ａ）は前記第二垂直面（５ｂ）に連続して形成されていることを特徴とする請求項１、２又は３記載のエンボス版。
【請求項５】  前記第一画素部（４）は前記平行線状凸部（２）の前記第一側に突出して形成され、前記第二画素部（５）は前記平行線状凸部（２）の前記第二側に突出して形成され、前記第一画素部（４）と前記第二画素部（５）のいずれか一つ又は双方の突出長さは、前記平行線状凹部（３）の幅寸法の半分長さよりも短いことを特徴とする請求項１、２、３又は４記載のエンボス版。
【請求項６】  前記第一角度傾斜面（４ａ）は前記基版材（１）の表面に対して５度から８５度までの範囲の傾斜角を有し、前記第二角度傾斜面（５ａ）は前記基版材（１）の表面に対して５度から８５度までの範囲の傾斜角を有することを特徴とする請求項１，２，３、４又は５記載のエンボス版。
【請求項７】  前記それぞれの平行線状凸部（２）の幅は０．００５ｍｍから０．５ｍｍまでの範囲であり、前記それぞれの平行線状凸部（２）の高さは０．００５ｍｍから０．５ｍｍまでの範囲であり、前記それぞれの平行線状凹部（３）の幅は０．００５ｍｍから２．５ｍｍまでの範囲であり、前記それぞれの第一画素部（４）と第二画素部（５）のそれぞれの突出長さは０．００５ｍｍから１ｍｍまでの範囲であることを特徴とする請求項１、２、３、４、５又は６記載のエンボス版。
【請求項８】  前記第一画像（４０）及び前記第二画像（５０）は反転画像であり、押圧又は押圧転写により被加工物（１０）の表面にエンボス画像を形成するために使用される、請求項１、２、３、４、５、６又は７記載のエンボス版。
【請求項９】  前記第一画像（４０）及び前記第二画像（５０）は反転画像でない正常画像であり、前記基版材（１）表面の所定の側から前記第一画像（４０）のみが見え、前記基版材（１）表面の反対側から前記第二画像（５０）のみが見え、視覚的に異方性を持つチェンジング視覚画像としての機能を有することを特徴とする請求項１、２、３、４、５、６又は７記載のエンボス版。
【請求項１０】  請求項１、２、３、４、５、６、７又は８記載のエンボス版を使用して被加工物（１０）の表面に押圧又は押圧転写されたエンボス画像成形品であって、前記複数平行線状凸部（２）に合致して形成された複数平行線状成形凹部（１２）と、前記複数平行線状凹部（３）に合致して形成された複数平行線状成形凸部（１３）と、前記複数平行線状成形凹部（１２）のうちの所定の成形凹部（１２）の第一側に形成された第一成形画素部（１４）と、前記複数平行線状成形凹部（１２）のうちの所定の成形凹部（１２）の第二側に形成された第二成形画素部（１５）とを備え、それぞれの平行線状成形凹部（１２）とそれぞれの平行線状成形凸部（１３）は互いに交互に位置し、前記第一成形画素部（１４）の表面は前記平行線状成形凹部（１２）から前記第一側に位置する成形凸部（１３）に向かって傾斜する第一成形傾斜面（１４ａ）を有し、前記第二成形画素部（１５）の表面は前記平行線状成形凹部（１２）から前記第二側に位置する成形凸部（１３）に向かって傾斜する第二成形傾斜面（１５ａ）を有し、前記第一成形画素部（１４）が集まって第一成形画像（１４０）を形成し、前記第二成形画素部（１５）が集まって第二成形画像（１５０）を形成し、前記被加工物（１０）表面の所定の側から第二成形画像（１５０）のみが見え、前記被加工物（１０）表面の反対側から第一成形画像（１４０）のみが見えることを特徴とする、請求項１、２、３、４、５、６、７又は８記載のエンボス版の使用により被加工物表面に押圧又は押圧転写されたエンボス画像成形品。
【請求項１１】  被加工物（１０）の表面に形成されたエンボス画像成形品であって、それぞれの平行線状成形凹部（１２）とそれぞれの平行線状成形凸部（１３）が互いに交互に位置する複数平行線状成形凹部（１２）と複数平行線状成形凸部（１３）と、前記平行線状成形凹部（１２）又は前記平行線状成形凸部（１３）に形成された第一成形画素部（１４）と第二成形画素部（１５）とを備え、前記それぞれの平行線状成形凹部（１２）と前記それぞれの平行線状成形凸部（１３）は所定ピッチで形成され、それぞれの平行線状成形凹部（１２）の底面は略平面形状を有し、それぞれの平行線状成形凸部（１３）の上面は略平面形状を有し、前記第一成形画素部（１４）は前記被加工物（１０）表面の第一側に向かって傾斜する第一成形傾斜面（１４ａ）を有し、前記第二成形画素部（１５）は前記被加工物（１０）表面の第二側に向かって傾斜する第二成形傾斜面（１５ａ）を有し、前記第一側と前記第二側は互いに前記被加工物（１０）表面の反対側に位置し、前記複数平行線状成形凹部（１２）と前記複数平行線状成形凸部（１３）は前記第一側と前記第二側に平行に形成され、前記第一成形画素部（１４）が集まって第一成形画像（１４０）を形成し、前記第二成形画素部（１５）が集まって第二成形画像（１５０）を形成し、前記被加工物（１０）表面の所定の側から第二成形画像（１５０）のみが見え、その反対側から第一成形画像（１４０）のみが見えることを特徴とする、エンボス画像成形品。
【請求項１２】  前記第一成形画素部（１４）と前記第二成形画素部（１５）は前記平行線状成形凸部（１３）に形成され、前記第一成形画素部（１４）は前記複数平行線状成形凹部（１２）のうちの所定の平行線状成形凹部（１２）から前記第一側に位置する平行線状成形凸部（１３）に向かって前記第一成形傾斜面（１４ａ）を有しながら上傾斜して形成され、前記第二成形画素部（１５）は前記複数平行線状成形凹部（１２）のうちの所定の平行線状成形凹部（１２）から前記第二側に位置する平行線状成形凸部（１３）に向かって前記第二成形傾斜面（１５ａ）を有しながら上傾斜して形成され、前記第一側から第二成形画像（１５０）のみが見え、前記第二側から第一成形画像（１４０）のみが見えることを特徴とする請求項１１記載のエンボス画像成形品。
【請求項１３】  前記第一成形画素部（１４）と第二成形画素部（１５）の前記第一側方向または前記第二側方向のそれぞれの長さは、それぞれの平行線状成形凸部（１３）の幅寸法の半分長さよりも短いことを特徴とする請求項１１又は１２記載のエンボス画像成形品。
【請求項１４】  前記第一成形画素部（１４）は前記第一成形傾斜面（１４ａ）に連続して前記平行線状成形凸部（１３）の上面に対して垂直な第一成形垂直面（１４ｂ）を有し、前記第二成形画素部（１５）は前記第二成形傾斜面（１５ａ）に連続して前記平行線状成形凸部（１３）の上面に対して垂直な第二成形垂直面（１５ｂ）を有することを特徴とする請求項１１、１２又は１３記載のエンボス画像成形品。
【請求項１５】  前記第一成形傾斜面（１４ａ）は前記被加工物（１０）の表面に対して５度から８５度までの範囲の傾斜角を有し、前記第二成形傾斜面（１５ａ）は前記被加工物（１０）の表面に対して５度から８５度までの範囲の傾斜角を有することを特徴とする請求項１１、１２、１３又は１４記載のエンボス画像成形品。
【請求項１６】  基版材（１）の表面に形成された複数平行線状凸部（２）と複数平行線状凹部（３）と、前記複数平行線状凸部（２）のうちの所定の平行線状凸部（２）の第一側に形成された第一画素部（４）と、前記複数平行線状凸部（２）のうちの所定の平行線状凸部（２）の第二側に形成された第二画素部（５）とを備え、前記複数平行線状凸部（２）と前記複数平行線状凹部（３）は所定ピッチで形成され、それぞれの平行線状凸部（２）とそれぞれの平行線状凹部（３）が互いに交互に位置し、前記第一側と前記第二側は互いに前記基版材（１）の反対側に位置し、前記複数平行線状凸部（２）と前記複数平行線状凹部（３）は前記第一側と前記第二側に平行に形成され、前記第一画素部（４）の表面は前記平行線状凸部（２）から前記第一側に向かって傾斜する第一角度傾斜面（４ａ）を有し、前記第二画素部（５）の表面は前記平行線状凸部（２）から前記第二側に向かって傾斜する第二角度傾斜面（５ａ）を有し、前記第一画素部（４）が集まって第一画像（４０）を形成し、前記第二画素部（５）が集まって第二画像（５０）を形成し、前記第一画像（４０）及び前記第二画像（５０）は正常画像であり、前記基版材（１）表面の所定の側から前記第一画像（４０）のみが見え、その反対側から前記第二画像（５０）のみが見えることを特徴とするエンボス画像成形品。
【請求項１７】  （ａ）腐食エッチングにより、金属基材の表面に、複数平行線状凸部（２）と、複数平行線状凹部（３）と、前記複数平行線状凸部のうちの所定の凸部の第一側に形成された第一画素部（４）と、前記複数平行線状凸部のうちの所定の凸部の第二側に形成された第二画素部（５）とを形成するエッチング工程と、（ｂ）機械加工により、前記第一画素部の表面に、前記線状凸部から前記第一側に向かって傾斜する第一角度傾斜面（４ａ）を形成する機械加工工程と、（ｃ）機械加工により、前記第二画素部の表面に、前記線状凸部から前記第二側に向かって傾斜する第二角度傾斜面（５ａ）を形成する機械加工工程とを備え、それぞれの平行線状凸部とそれぞれの平行線状凹部は互いに交互に位置し、前記第一画素部が集まって第一画像（４０）を形成し、前記第二画素部が集まって第二画像（５０）を形成することを特徴するエンボス版の製造方法。
【請求項１８】  さらに、（ｄ）機械加工により、前記複数平行線状凸部（２）と前記複数平行線状凹部（３）と前記第一画素部（４）と前記第二画素部（５）と前記第一角度傾斜面（４ａ）と前記第二角度傾斜面（５ａ）のうちの少なくとも一つを仕上げ加工する仕上げ機械加工工程を備えたことを特徴する請求項１７記載のエンボス版の製造方法。
【請求項１９】  前記複数平行線状凸部（２）と前記複数平行線状凹部（３）を所定ピッチで形成し、それぞれの平行線状凸部（２）とそれぞれの平行線状凹部（３）が互いに交互に位置するように形成し、前記第一側と前記第二側が互いに前記基版材（１）の反対側に位置し、前記複数平行線状凸部（２）と前記複数平行線状凹部（３）が前記第一側と前記第二側に平行になるように形成し、前記第一角度傾斜面（４ａ）と前記第二角度傾斜面（５ａ）が前記金属基材の表面に対して５度から８５度までの範囲の傾斜角を有するように形成することを特徴とする請求項１７又は１８記載のエンボス版の製造方法。
【請求項２０】  前記第一画素部（４）は前記平行線状凸部（２）の前記第一側に突出して形成され、前記第二画素部（５）は前記平行線状凸部（２）の前記第二側に突出して形成され、前記第一画素部（４）と第二画素部（５）のそれぞれの突出長さがそれぞれの平行線状凹部（３）の幅寸法の半分長さよりも短くなるように形成することを特徴とする請求項１７、１８又は１９記載のエンボス版の製造方法。
【請求項２１】  前記第一画素部（４）が前記第一角度傾斜面（４ａ）に連続して前記平行線状凹部（３）の底面に対して垂直な第一垂直面（４ｂ）を有し、前記第二画素部（５）が前記第二角度傾斜面（５ａ）に連続して前記平行線状凹部（３）の底面に対して垂直な第二垂直面（５ｂ）を有するように形成することを特徴とする請求項１７、１８、１９又は２０記載のエンボス版の製造方法。
【手続補正３】
【補正対象書類名】明細書
【補正対象項目名】０００１
【補正方法】変更
【補正の内容】
【０００１】
【発明の属する技術分野】
本発明は、押圧操作により被加工物表面にエンボス画像を形成するためのエンボス版、被加工物の表面に形成されたエンボス画像成形品、及び、エンボス版の製造方法に関する。              
【手続補正４】
【補正対象書類名】明細書
【補正対象項目名】０００４
【補正方法】変更
【補正の内容】
【０００４】
本発明のエンボス版は、基版材の表面に形成された複数平行線状凸部と複数平行線状凹部と、前記複数平行線状凸部のうちの所定の平行線状凸部の第一側に形成された第一画素部と、前記複数平行線状凸部のうちの所定の平行線状凸部の第二側に形成された第二画素部とを備え、前記複数平行線状凸部と前記複数平行線状凹部は所定ピッチで形成され、それぞれの平行線状凸部とそれぞれの平行線状凹部が互いに交互に位置し、前記第一側と前記第二側は互いに前記基版材の反対側に位置し、前記複数平行線状凸部と前記複数平行線状凹部は前記第一側と前記第二側に平行に形成され、前記第一画素部の表面は前記平行線状凸部から前記第一側に向かって傾斜する第一角度傾斜面を有し、前記第二画素部の表面は前記平行線状凸部から前記第二側に向かって傾斜する第二角度傾斜面を有し、前記第一画素部が集まって第一画像を形成し、前記第二画素部が集まって第二画像を形成することを特徴とする。
【手続補正５】
【補正対象書類名】明細書
【補正対象項目名】００１０
【補正方法】変更
【補正の内容】
【００１０】
本発明のエンボス画像成形品は、被加工物表面に形成されたエンボス画像成形品であって、それぞれの平行線状成形凹部とそれぞれの平行線状成形凸部が互いに交互に位置する複数平行線状成形凹部と複数平行線状成形凸部と、前記平行線状成形凹部又は前記平行線状成形凸部に形成された第一成形画素部と第二成形画素部とを備え、前記それぞれの平行線状成形凹部と前記それぞれの平行線状成形凸部は所定ピッチで形成され、それぞれの平行線状成形凹部の底面は略平面形状を有し、それぞれの平行線状成形凸部の上面は略平面形状を有し、前記第一成形画素部は前記被加工物表面の第一側に向かって傾斜する第一成形傾斜面を有し、前記第二成形画素部は前記被加工物表面の第二側に向かって傾斜する第二成形傾斜面を有し、前記第一側と前記第二側は互いに前記被加工物表面の反対側に位置し、前記複数平行線状成形凹部と前記複数平行線状成形凸部は前記第一側と前記第二側に平行に形成され、前記第一成形画素部が集まって第一成形画像を形成し、前記第二成形画素部が集まって第二成形画像を形成し、前記被加工物表面の所定の側から第二成形画像のみが見え、その反対側から第一成形画像のみが見えることを特徴とする。
【手続補正６】
【補正対象書類名】明細書
【補正対象項目名】００１６
【補正方法】変更
【補正の内容】
【００１６】
本発明のエンボス版の製造方法は、（ａ）腐食エッチングにより、金属基材の表面に、複数平行線状凸部と、複数平行線状凹部と、前記複数平行線状凸部のうちの所定の凸部の第一側に形成された第一画素部と、前記複数平行線状凸部のうちの所定の凸部の第二側に形成された第二画素部とを形成するエッチング工程と、（ｂ）機械加工により、前記第一画素部の表面に、前記線状凸部から前記第一側に向かって傾斜する第一角度傾斜面を形成する機械加工工程と、（ｃ）機械加工により、前記第二画素部の表面に、前記線状凸部から前記第二側に向かって傾斜する第二角度傾斜面を形成する機械加工工程とを備え、それぞれの平行線状凸部とそれぞれの平行線状凹部は互いに交互に位置し、前記第一画素部が集まって第一画像を形成し、前記第二画素部が集まって第二画像を形成することを特徴する。
【手続補正７】
【補正対象書類名】明細書
【補正対象項目名】００１７
【補正方法】変更
【補正の内容】
【００１７】
望ましくは、前記エンボス版の製造方法は、さらに、（ｄ）機械加工により、前記複数平行線状凸部と前記複数平行線状凹部と前記第一画素部と前記第二画素部と前記第一角度傾斜面と前記第二角度傾斜面のうちの少なくとも一つを仕上げ加工する仕上げ機械加工工程を備える。
【手続補正８】
【補正対象書類名】明細書
【補正対象項目名】００５０
【補正方法】変更
【補正の内容】
【００５０】
本実施例のエンボス版は、押圧転写してエンボス画像成形品を製造するための版型として使用するための実施例を説明したが、これに限定されることなく、本発明のエンボス版は、押圧転写することなく、そのエンボス版自体が視覚的に異方性を持つチェンジング視覚画像としてのエンボス版またはエンボス画像成形品としても使用できる。この場合、第一画像４０と第二画像５０は反転画像ではなく正常画像として形成され、所定の側から第一画像のみが見え、その反対側から第二画像のみが見える。
【手続補正９】
【補正対象書類名】明細書
【補正対象項目名】００６６
【補正方法】変更
【補正の内容】
【００６６】
本発明のエンボス画像成形品により、被加工物表面の所定の側から所定の画像のみが見え、反対側から異なる画像のみが見え、その見え方が鮮明である。
【手続補正１０】
【補正対象書類名】図面
【補正対象項目名】図５
【補正方法】変更
【補正の内容】
【図５】
2004314344.tif 000001